(57)【特許請求の範囲】
【請求項１】
ジェスチャセンサによって、移動端末が予め設定された持ち上げ状態にあるかどうかを検出することと、
前記移動端末が予め設定された持ち上げ状態にある場合、正面カメラを起動し、第１のユーザ顔面画像を撮影することと、
前記第１のユーザ顔面画像の第１の表情を分析し、表情とロック画面の壁紙タイプセットとの間の対応関係に基づいて、前記第１の表情に対応する第１の目標ロック画面の壁紙タイプセットを確定することと、
前記移動端末の画面を点灯させ、ロック画面インターフェースに入り、前記ロック画面インターフェースに第１のロック画面の壁紙を表示することとを、含み、
前記第１のロック画面の壁紙は、前記第１の目標ロック画面の壁紙タイプセットから選択された壁紙の１つであり、
前記ロック画面インターフェースに第１のロック画面の壁紙を表示した後、さらに、
前記正面カメラによって第２のユーザ顔面画像を撮影することと、
前記第２のユーザ顔面画像の第２の表情を分析することと、
前記第２の表情が前記第１の表情と同じであるかどうかを判断することと、
前記第２の表情が前記第１の表情と異なり、かつ前記第１の表情がポジティブな表情であるが、前記第２の表情がネガティブな表情である場合、前記ロック画面インターフェースに表示された前記第１のロック画面の壁紙を第２のロック画面の壁紙に切り替えることとを、含む、
ロック画面の壁紙の推薦方法。
【請求項２】
前記第２のロック画面の壁紙は、前記第２の表情に対応する第２の目標ロック画面の壁紙タイプセットから選択された壁紙の１つである、または、
前記第２のロック画面の壁紙は、前記第１の目標ロック画面の壁紙タイプセットから選択された、前記第１のロック画面の壁紙以外の壁紙の１つである、
請求項１に記載の方法。
【請求項３】
前記第２の表情が前記第１の表情と異なり、かつ前記第１の表情がネガティブな表情であるが、前記第２の表情がポジティブな表情である場合、前記第１のロック画面の壁紙をお気に入りに追加することを、さらに含む、
請求項１又は２に記載の方法
【請求項４】
前記第２の表情が前記第１の表情と同じであり、かつ前記第１の表情と前記第２の表情の両方がネガティブな表情である場合、前記ロック画面インタフェースに表示された前記第１のロック画面の壁紙を第３のロック画面の壁紙に切り替えることをさらに含み、
前記第３のロック画面の壁紙はお気に入りに集められた壁紙の任意の１つである、
請求項１〜３のいずれか一項に記載の方法。
【請求項５】
前記ロック画面インターフェースに第１のロック画面の壁紙を表示した後、さらに、
前記第１のロック画面の壁紙の読みインストラクションを検出すると、前記第１のロック画面の壁紙の読みインタフェースに入ることと、
前記第１のロック画面の壁紙の読み時間をカウントすることと、
前記読み時間が予め設定された時間に達すると、お気に入りに前記第１のロック画面の壁紙を追加することとを、含む、
請求項１〜４のいずれか一項に記載の方法。
【請求項６】
１つまたは複数のプロセッサ（５０１）、メモリ（５０２）、通信部（５０３）、および１つまたは複数のプログラムを含む移動端末であって、
前記１つまたは複数のプログラムは、前記メモリに格納され、インストラクションを含み、実行されると前記１つまたは複数のプロセッサと共に動作可能になり、以下を行う：
ジェスチャセンサによって、前記移動端末が予め設定された持ち上げ状態にあるかどうかを検出する；
前記移動端末が予め設定された持ち上げ状態にある場合、正面カメラを起動し、第１のユーザ顔面画像を撮影する；
前記第１のユーザ顔面画像の第１の表情を分析し、表情とロック画面の壁紙タイプセットとの間の対応関係に基づいて、前記第１の表情に対応する第１の目標ロック画面の壁紙タイプセットを確定する；
前記移動端末の画面を点灯させ、ロック画面インターフェースに入り、前記ロック画面インターフェースに第１のロック画面の壁紙を表示する；
前記第１のロック画面の壁紙は、第１の目標のロック画面の壁紙タイプセットから選択された壁紙の１つであり、
前記インストラクションはさらに、実行されると、前記１つまたは複数のプロセッサと共に動作可能であり、以下を行う：
前記正面カメラによって第２のユーザ顔面画像を撮影する；
前記第２のユーザ顔面画像の第２の表情を分析する；
前記第２の表情が前記第１の表情と同じかどうかを判断する；
前記第２の表情が前記第１の表情と異なり、かつ前記第１の表情がポジティブな表情であるが、前記第２の表情がネガティブな表情である場合、前記ロック画面インターフェースに表示された前記第１のロック画面の壁紙を第２のロック画面の壁紙に切り替える、
移動端末。
【請求項７】
前記第２のロック画面の壁紙は、前記第２の表情に対応する第２の目標ロック画面の壁紙タイプセットから選択された壁紙の１つである、または、
前記第２のロック画面の壁紙は、前記第１の目標ロック画面の壁紙タイプセットから選択された、前記第１のロック画面の壁紙以外の壁紙の１つである、
請求項６に記載の移動端末。
【請求項８】
前記インストラクションはさらに、実行されると、前記１つまたは複数のプロセッサと共に動作可能であり、以下を行う：
前記第２の表情が前記第１の表情と異なり、かつ前記第１の表情がネガティブな表情であるが、前記第２の表情がポジティブな表情である場合、前記第１のロック画面の壁紙をお気に入りに追加する、
請求項６または７に記載の移動端末。
【請求項９】
前記インストラクションはさらに、実行されたと、前記１つまたは複数のプロセッサと共に動作可能であり、以下を行う：
前記第２の表情が前記第１の表情と同じであり、かつ前記第１の表情と前記第２の表情の両方がネガティブな表情である場合、前記ロック画面インタフェースに表示された第１のロック画面の壁紙を第３のロック画面の壁紙に切り替える；
前記第３のロック画面の壁紙はお気に入りに集められた壁紙の任意の１つである、
請求項６から８のいずれか一項に記載の移動端末。
【請求項１０】
前記インストラクションはさらに、実行されると、前記１つまたは複数のプロセッサと共に動作可能であり、以下を行う：
前記第１のロック画面の壁紙の読みインストラクションを検出すると、前記第１のロック画面の壁紙の読みインターフェースに入る；
前記第１のロック画面の壁紙の読み時間をカウントする；
前記読み時間が予め設定された時間に達すると、お気に入りに前記第１のロック画面の壁紙を追加する、
請求項６から９のいずれか一項に記載の移動端末。
【請求項１１】
電子データ交換用に構成されるコンピュータプログラムを格納する不揮発性コンピュータ可読記憶媒体であって、コンピュータプログラムは、実行されると、コンピュータと共に動作可能になり、以下を行う：
ジェスチャセンサによって、移動端末が予め設定された持ち上げ状態にあるかどうかを検出する；
前記移動端末が予め設定された持ち上げ状態にある場合、正面カメラを起動し、第１のユーザ顔面画像を撮影する；
前記第１のユーザ顔面画像の第１の表情を分析し、表情とロック画面の壁紙タイプセットとの間の対応関係に基づいて、前記第１の表情に対応する第１の目標ロック画面の壁紙タイプセットを確定する；
前記第１のロック画面の壁紙は、前記第１の目標のロック画面の壁紙タイプセットから選択された壁紙の１つであり、
前記コンピュータプログラムはさらに、実行されると、前記コンピュータと共に動作可能であり、以下を行う：
前記正面カメラによって第２のユーザ顔面画像を撮影する；
前記第２のユーザ顔面画像の第２の表情を分析する；
前記第２の表情が前記第１の表情と同じかどうかを判断する；
前記第２の表情が前記第１の表情と異なり、かつ前記第１の表情がポジティブな表情であるが、前記第２の表情がネガティブな表情である場合、ロック画面インターフェースに表示された前記第１のロック画面の壁紙を第２のロック画面の壁紙に切り替える、
不揮発性コンピュータ可読記憶媒体。
【請求項１２】
前記コンピュータプログラムはさらに、実行されると、前記コンピュータと共に動作可能であり、以下を行う：
前記第１のロック画面の壁紙の読みインストラクションを検出すると、前記第１のロック画面の壁紙の読みインターフェースに入る；
前記第１のロック画面の壁紙の読み時間をカウントする；
前記読み時間が予め設定された時間に達すると、お気に入りに前記第１のロック画面の壁紙を追加する、
請求項１１に記載の不揮発性コンピュータ可読記憶媒体。
【発明の詳細な説明】
【技術分野】
【０００１】
本開示は、モバイル通信技術の分野に関し、特に、ロック画面の壁紙の推薦方法および関連製品に関する。
【背景技術】
【０００２】
スマートフォンなどの移動端末の使用が増えるにつれて、現在、ほぼすべての人が携帯電話を持ち、携帯電話は人々の生活や仕事に欠かせないものとなっている。移動端末のロック画面インターフェースの表示効果を高めるために、移動端末のシステムまたはいくつかのロック画面のマガジン型アプリケーションは、豊富なロック画面の壁紙ライブラリをユーザに提供する。現在のロック画面の壁紙表示は、ランダムなカルーセル方式を採用している。ユーザが画面をロックするたびに、壁紙がロック画面の壁紙ライブラリからランダムに選択される。
【０００３】
ロック画面の壁紙ライブラリからランダムに選択されたピクチャーがユーザの好みに合わない場合、ユーザはロック画面の壁紙ライブラリに格納されたディレクトリ内の画像を削除および修正する必要があり、操作が複雑であり、ユーザエクスペリエンスが悪い。
【発明の概要】
【０００４】
本開示の実施形態は、ロック画面の壁紙の推薦方法および関連製品を提供することで、ロック画面インターフェースにおいてユーザ表情に合わせる壁紙をユーザに推薦し、ユーザエクスペリエンスを改善する。
【０００５】
本開示の実施形態の第１の態様によれば、ロック画面の壁紙の推薦方法が提供される。当該方法は以下を含くんでもよい。
【０００６】
移動端末が予め設定された持ち上げ状態にあるかどうかは、ジェスチャセンサによって検出される。移動端末が予め設定された持ち上げ状態にある場合、正面カメラが起動され、第１のユーザ顔面画像が撮影される。第１のユーザ顔面画像の第１の表情が分析され、第１の表情に対応する第１の目標ロック画面の壁紙タイプセットが、表情とロック画面の壁紙タイプセットとの間の対応関係に基づいて確定される。移動端末の画面が点灯し、ロック画面インターフェースに入り、第１のロック画面の壁紙がロック画面インターフェースに表示される。第１のロック画面の壁紙は、第１の目標ロック画面の壁紙タイプセットから選択された壁紙の１つである。
【０００７】
本開示の実施形態の第２の態様によれば、移動端末が提供される。移動端末は、検出部と、撮影部と、分析部と、確定部と、表示部とを備える。
【０００８】
検出部は、ジェスチャセンサによって、移動端末が予め設定された持ち上げ状態にあるかどうかを検出するように構成される。
【０００９】
撮影部は、検出部が移動端末が予め設定された持ち上げ状態にあることを検出すると、正面カメラを起動し、第１のユーザ顔面画像を撮影するように構成される。
【００１０】
分析部は、第１のユーザ顔面画像の第１の表情を分析するように構成される。
【００１１】
確定部は、表情とロック画面の壁紙タイプセットとの間の対応関係に基づいて、第１の表情に対応する第１の目標ロック画面の壁紙タイプセットを確定するように構成される。
【００１２】
表示部は、移動端末の画面を点灯させ、ロック画面インターフェースに入り、そしてロック画面インターフェースに第１のロック画面の壁紙を表示するように構成される。第１のロック画面の壁紙は、第１の目標ロック画面の壁紙タイプセットから選択された壁紙の１つである。
【００１３】
本開示の実施形態の第３の態様によれば、移動端末が提供される。移動端末は、１つ以上のプロセッサ、メモリ、通信部、および１つ以上のプログラムを含む。
【００１４】
１つまたは複数のプログラムはメモリに格納され、実行時に１つまたは複数のプロセッサと共に動作可能になり、本開示の実施形態の第１の態様による任意の方法の動作の全部または一部を実行するインストラクションを含む。
【００１５】
本開示の実施形態の第４の態様によれば、電子データ交換用に構成されたコンピュータプログラムを格納する不揮発性コンピュータ可読記憶媒体が提供される。コンピュータプログラムは、実行されると、コンピュータと共に動作可能になり、本開示の実施形態の第１の態様による任意の方法の動作の全部または一部を実行する。
【００１６】
本開示の実施形態の第５の態様によれば、コンピュータプログラム製品が提供される。コンピュータプログラム製品は、コンピュータプログラムを格納するための非一時的コンピュータ可読記憶媒体を含む。コンピュータプログラムは、実行されると、コンピュータと共に動作可能であり、本開示の実施形態の第１の態様による任意の方法の動作の全部または一部を実行する。
【図面の簡単な説明】
【００１７】
本開示の実施形態の技術案をより明確に説明するために、実施形態で使用される図面について以下に簡単に説明する。以下に記載される図面は単に本開示のいくつかの実施形態であり、当業者には他の図面がいかなる創造的な作業もなしに得られることができることは明らかであろう。
【図１】図１は本開示の実施形態による、ロック画面の壁紙の推薦方法を示す概略フローチャート図である。
【図２】図２は本開示の実施形態による、ロック画面の壁紙の別の推薦方法を示す概略フローチャート図である。
【図３】図３は本開示の実施形態による、ロック画面の壁紙の別の推薦方法を示す概略フローチャート図である。
【図４】図４は本開示の実施形態による移動端末を示す概略構造図である。
【図５】図５は本開示の実施形態による別の移動端末を示す概略構造図である。
【図６】図６は本開示の実施形態による別の移動端末を示す概略構造図である。
【発明を実施するための形態】
【００１８】
本開示の技術案は、添付の図面を参照して明確かつ完全に説明される。明らかに、以下に記載される実施形態は、本開示の実施形態の全てではなく、単にその一部に過ぎない。本開示の実施形態に基づいて、当業者による創造的な作業なしにそこから得られる他の実施形態は、本開示の保護範囲に入るものとする。
【００１９】
本開示の明細書および特許請求の範囲および図面における「第１」、「第２」などの用語は、特定の順序を説明するのではなく、異なる対象を区別するために使用されている。さらに、「含む」および「有する」という用語、およびそれらの任意の表現は、非排他的包含関係をカバーすることを意図している。例えば、一連の動作または部を含むプロセス、方法、システム、製品または装置は、列挙されたプロセスまたはユニットに限定されず、列挙されていない他のプロセスまたはユニットも含まれてもよく、或いはこれらのプロセス、方法、製品または装置に固有の他のプロセスまたはユニットも含まれてもよい。
【００２０】
本明細書で言及される「実施形態」または「実施例」という用語は、特定の特徴、構造、または実施形態に関して説明された特徴が本開示の少なくとも１つの実施形態に含まれ得ることを意味する。本明細書の様々な箇所に現れるフレーズは、必ずしも同じ実施形態を指すのではなく、他の実施形態と相互に排他的な独立のまたは代替の実施形態を指すのでもない。本明細書に記載の実施形態を他の実施形態と組み合わせてもよいことは、当業者には明白にそして黙示的に理解されている。
【００２１】
本開示の実施形態に含まれる移動端末は、無線通信機能を有する様々なハンドヘルド機器、車載機器、ウェアラブル機器、コンピューティング機器、または無線モデムに接続された他の処理機器、ならびに様々な形態の無線機器を含んでもよい。ユーザ機器（ＵＥ）、移動局（ＭＳ）、端末装置など。説明の便宜上、上記装置をまとめて移動端末と呼ぶ。
【００２２】
本開示の実施形態に含まれる「ポジティブな表情」は、楽しい、喜び、満足、興味津々、自慢、感謝などのような心地よい感情を伴う、内部または外部の刺激の原因でまたは個人のニーズを満たす出来事によって、個人が生み出す表情を指す。
【００２３】
本開示の実施形態に含まれる「ネガティブな表情」は、外的要因または内的要因によって引き起こされ、正常に働き続けることまたは考え続けることに有益でない表情を指すことがある。ポジティブな表情とは逆である。ネガティブな表情には、悲しみ、怒り、緊張、心配、痛み、恐怖、憎みなどが含まれてもよい。
【００２４】
本開示の実施形態の第１の態様によれば、ロック画面の壁紙の推薦方法が提供される。この方法は、以下を含む：ジェスチャセンサによって、移動端末が予め設定された持ち上げ状態にあるかどうかを検出する；移動端末が予め設定された持ち上げ状態にある場合、正面カメラを起動し、第１のユーザ顔面画像を撮影する；第１のユーザ顔面画像の第１の表情を分析し、表情とロック画面の壁紙タイプセットとの間の対応関係に基づいて、第１の表情に対応する第１の目標ロック画面の壁紙タイプセットを確定する；移動端末の画面を点灯させ、ロック画面インターフェースに入り、そしてロック画面インターフェースに第１のロック画面の壁紙を表示する。第１のロック画面の壁紙は、第１の目標ロック画面の壁紙タイプセットから選択された壁紙の１つである。
【００２５】
一実施形態では、方法は、第１のロック画面の壁紙をロック画面インターフェースに表示した後に、以下をさらに含む。正面カメラによって第２のユーザ顔面画像を撮影する；第２のユーザ顔面画像の第２の表情を分析する；第２の表情が第１の表情と同じであるかどうかを判断する；第２の表情が第１の表情と異なり、第１の表情がポジティブな表情であり、第２の表情がネガティブな表情である場合、ロック画面インターフェースに表示された第１のロック画面の壁紙を第２のロック画面の壁紙に切り替える。
【００２６】
一実施形態では、第２のロック画面の壁紙は、第２の表情に対応する第２の目標ロック画面の壁紙タイプセットから選択された壁紙の１つである。
【００２７】
一実施形態では、第２のロック画面の壁紙は、第１の目標ロック画面の壁紙タイプセットから選択された、第１のロック画面の壁紙以外の壁紙の１つである。
【００２８】
一実施形態では、方法は、ロック画面インターフェースに表示された第１のロック画面の壁紙を第２のロック画面の壁紙に切り替えた後に、以下をさらに含む：第１のロック画面の壁紙タイプセットから第１のロック画面の壁紙を削除する。
【００２９】
一実施形態では、方法は、第２の表情が第１の表情と異なり、第１の表情がネガティブな表情であり、第２の表情がポジティブな表情である場合、第１のロック画面の壁紙をお気に入りに追加することをさらに含む。
【００３０】
一実施形態では、方法は、第２の表情が第１の表情と同じであり、かつ第１の表情と第２の表情の両方がネガティブな表情である場合、ロック画面インターフェースに表示される第１のロック画面の壁紙を第３のロック画面の壁紙に切り替えることをさらに含む。第３のロック画面の壁紙はお気に入りに集められた壁紙の任意の１つである。
【００３１】
一実施形態では、方法は、第２の表情が第１の表情と同じであり、第１の表情と第２の表情の両方がポジティブな表情である場合、第１のロック画面の壁紙をロック画面インターフェースに表示し続けることをさらに含む。
【００３２】
一実施形態では、方法は、第１のロック画面の壁紙をロック画面インターフェースに表示した後に、以下をさらに含む。第１のロック画面の壁紙の読みインストラクションを検出するときに第１のロック画面の壁紙の読みインターフェースに入る；第１のロック画面の壁紙の読み時間をカウントする；読み時間が予め設定された時間に達すると、お気に入りに第１のロック画面の壁紙を追加する。
【００３３】
本開示の実施形態の第２の態様によれば、移動端末が提供される。移動端末は、検出部と、撮影部と、分析部と、確定部と、表示部とを備える。
【００３４】
検出部は、ジェスチャセンサによって、移動端末が予め設定された持ち上げ状態にあるかどうかを検出するように構成される。
【００３５】
撮影部は、検出部が移動端末が予め設定された持ち上げ状態にあることを検出したときに、正面カメラを起動させて第１のユーザ顔面画像を撮影するように構成される。
【００３６】
分析部は、第１のユーザ顔面画像の第１の表情を分析するように構成される。
【００３７】
確定部は、表情とロック画面の壁紙タイプセットとの間の対応関係に基づいて、第１の表情に対応する第１の目標ロック画面の壁紙タイプセットを確定するように構成される。
【００３８】
表示部は、移動端末の画面を点灯させ、ロック画面インターフェースに入り、そしてロック画面インターフェースに第１のロック画面の壁紙を表示するように構成される。第１のロック画面の壁紙は、第１の目標ロック画面の壁紙タイプセットから選択された壁紙の１つである。
【００３９】
一実施形態では、撮影部はさらに、第１のロック画面の壁紙が表示部によってロック画面インターフェースに表示された後に、正面カメラによって第２のユーザ顔面画像を撮影するように構成される。分析部はさらに、第２のユーザ顔面画像の第２の表情を分析するように構成される。移動端末は更に、第２の表情が第１の表情と同じであるかどうかを判断するように構成された判断部と、第２の表情が第１の表情と異なり、第１の表情がポジティブな表情であり、第２の表情がネガティブな表情である場合、ロック画面インターフェースに表示される第１のロック画面の壁紙を第２のロック画面の壁紙に切り替えるように構成される切替部とを含む。
【００４０】
一実施形態では、第２のロック画面の壁紙は、第２の表情に対応する第２の目標ロック画面の壁紙タイプセットから選択された壁紙の１つである。
【００４１】
一実施形態では、第２のロック画面の壁紙は、第１の目標ロック画面の壁紙タイプセットから選択された、第１のロック画面の壁紙以外の壁紙の１つである。
【００４２】
一実施形態では、移動端末は、ロック画面インターフェースに表示された第１のロック画面壁紙を切替部によって第２のロック画面壁紙に切り替えられた後、第１の目標ロック画面壁紙タイプセットから第１のロック画面壁紙を削除するように構成される削除部をさらに含む。
【００４３】
一実施形態では、移動端末は、第２の表情が第１の表情と異なり、第１の表情がネガティブな表情であるが第２の表情はポジティブな表情である場合、第１のロック画面の壁紙をお気に入りに追加するように構成される第１の追加部をさらに含む。
【００４４】
一実施形態では、切替部はさらに、第２の表情が第１の表情と同じでありかつ両方の表情が同じである場合に、ロック画面インターフェースに表示された第１のロック画面の壁紙を第３のロック画面の壁紙に切り替えるように構成される。第１の表情と第２の表情はネガティブな表情である。 第３のロック画面の壁紙はお気に入りに集められた壁紙の任意の１つである。
【００４５】
一実施形態では、表示部はさらに、第２の表情が第１の表情と同じであり、かつ第１の表情と第２の表情の両方がポジティブな表情である場合、第１のロック画面の壁紙をロック画面インターフェースに表示し続けるように構成される。
【００４６】
一実施形態では、移動端末はさらに、第１のロック画面の壁紙の読みインストラクションを検出するときに第１のロック画面の壁紙の読みインターフェースに入り、第１のロック画面の壁紙の読み時間をカウントするように構成されたカウント部と、読み時間が予め設定された期間に達すると、第１のロック画面の壁紙をお気に入りに追加するように構成される第２の追加部とを含む。
【００４７】
本開示の実施形態の第３の態様によれば、移動端末が提供される。移動端末は、１つ以上のプロセッサ、メモリ、通信部、および１つ以上のプログラムを含む。
【００４８】
１つまたは複数のプログラムはメモリに格納され、インストラクションを含む。そのインストラクションは実行されると、１つまたは複数のプロセッサと共に動作可能になり、以下を実行する：ジェスチャセンサによって、移動端末が予め設定された持ち上げ状態にあるかどうかを検出する；移動端末が予め設定された持ち上げ状態にあるとき、正面カメラを起動させ、第１のユーザ顔面画像を撮影する；第１のユーザ顔面画像の第１の表情を分析し、表情とロック画面の壁紙タイプセットとの間の対応関係に基づいて、第１の表情に対応する第１の目標ロック画面の壁紙タイプセットを確定する；移動端末の画面を点灯させ、ロック画面インターフェースに入り、そしてロック画面インターフェースに第１のロック画面の壁紙を表示する。第１のロック画面の壁紙は、第１の目標ロック画面の壁紙タイプセットから選択された壁紙の１つである。
【００４９】
一実施形態では、インストラクションは実行されたと、１つまたは複数のプロセッサと共にさらに動作可能であり、以下を実行する：正面カメラによって第２のユーザ顔面画像を撮影する；第２のユーザ顔面画像の第２の表情を分析する；第２の表情が第１の表情と同じかどうかを判断する；第２の表情が第１の表情と異なり、第１の表情がポジティブな表情であるが第２の表情がネガティブな表情である場合、ロック画面インターフェースに表示された第１のロック画面の壁紙を第２のロック画面の壁紙に切り替える。
【００５０】
一実施形態では、第２のロック画面の壁紙は、第２の表情に対応する第２の目標ロック画面の壁紙タイプセットから選択された壁紙の１つである。
【００５１】
一実施形態では、第２のロック画面の壁紙は、第１の目標ロック画面の壁紙タイプセットから選択された、第１のロック画面の壁紙以外の壁紙の１つである。
【００５２】
一実施形態では、インストラクションは実行されると、１つまたは複数のプロセッサと共にさらに動作可能であり、第１の目標ロック画面の壁紙タイプセットから第１のロック画面の壁紙を削除することができる。
【００５３】
一実施形態では、インストラクションは実行されると、１つまたは複数のプロセッサと共にさらに動作可能であり、第２の表情が第１の表情と異なり、第１の表情はネガティブな表情であるが第２の表情はポジティブな表情である場合、第１のロック画面の壁紙をお気に入りに追加する。
【００５４】
一実施形態では、インストラクションは実行されると、１つまたは複数のプロセッサと共にさらに動作可能であり、第２の表情が第１の表情と同じで、第１の表情と第２の表情の両方がネガティブな表情である場合、ロック画面インターフェースに表示された第１のロック画面の壁紙を第３のロック画面の壁紙に切り替える。第３のロック画面の壁紙はお気に入りに集められた壁紙の任意の１つである。
【００５５】
一実施形態では、インストラクションは実行されたと、１つまたは複数のプロセッサと共にさらに動作可能であり、第２の表情が第１の表情と同じで、第１の表情と第２の表情は両方ともポジティブな表情である場合、ロック画面インターフェースに第１のロック画面の壁紙を表示し続ける。
【００５６】
一実施形態では、インストラクションは実行されたと、１つまたは複数のプロセッサと共にさらに動作可能であり、以下を実行する：第１のロック画面の壁紙の読みインストラクションを検出すると、第１のロック画面の壁紙の読みインターフェースに入る；第１のロック画面の壁紙の読み時間をカウントする；読み時間が予め設定された時間に達すると、お気に入りに第１のロック画面の壁紙を追加する。
【００５７】
本開示の実施形態の第４の態様によれば、電子データ交換用に構成されたコンピュータプログラムを格納する不揮発性コンピュータ可読記憶媒体が提供される。コンピュータプログラムは、実行されると、コンピュータと共に動作可能になり、本開示の実施形態の第１の態様による任意の方法の動作の全部または一部を実行する。
【００５８】
本開示の実施形態の第５の態様によれば、コンピュータプログラム製品が提供される。コンピュータプログラム製品は、コンピュータプログラムを格納するための非一時的コンピュータ可読記憶媒体を含む。コンピュータプログラムは、実行されると、コンピュータと共に動作可能であり、本開示の実施形態の第１の態様による任意の方法の動作の全部または一部を実行する。
【００５９】
本開示の実施形態のロック画面の壁紙の推薦方法では、ユーザが移動端末を持ち上げる動作が検出されると（すなわち、移動端末の画面が点灯される前）、ユーザの顔面画像が撮影され、ユーザの顔面画像の表情が分析され、次いで、ユーザの顔面画像の表情に対応するロック画面の壁紙タイプセットが確定される。移動端末の画面が点灯した後、ユーザの顔面画像の表情に対応するロック画面の壁紙タイプセットからの壁紙がユーザに推薦されるロック画面インターフェースに入る。本開示の実施形態によって、ユーザが移動端末を持ち上げるときに、ロック画面インターフェースにおいてユーザ表情に合わせる壁紙をユーザに推薦することができるので、ユーザエクスペリエンスを向上させる。
【００６０】
以下、添付図面を参照しながら本発明の実施形態について説明する。
【００６１】
図１を参照する。図１は本開示の実施形態による、ロック画面の壁紙の推薦方法を示す概略フローチャート図である。図１に示すように、ロック画面の壁紙の推薦方法はブロック１０１の動作で始まる。
【００６２】
ブロック１０１において、移動端末は、ジェスチャセンサを通して、移動端末が予め設定された持ち上げ状態にあるかどうかを検出する。
【００６３】
本開示の実施形態では、ジェスチャセンサは、微小電気機械システム（ＭＥＭＳ）技術に基づく高性能三次元モーションジェスチャ測定システムである。ジェスチャセンサは、３軸ジャイロスコープ、３軸加速度計、重力センサ、３軸電子コンパス、および他のモーションセンサとしてもよい。ジェスチャセンサは、移動端末の運動状態を検出するように構成される。移動端末の角速度は３軸ジャイロスコープによって検出することができ、移動端末の線加速度は３軸加速度計によって測定することができ、移動端末の水平面に対する角度は重力センサによって測定することができる。予め設定された持ち上げ状態は、移動端末の可能な動作状態である。予め設定された持ち上げ状態を満足する条件は、予め設定された時間内（例えば、０．５秒以内）に、水平面に対する移動端末の角度の変化は予め設定された角度を超え、移動端末の瞬間的な角速度は予め設定された角速度閾値よりも大きく、そして移動端末の瞬間的な線速度は予め設定された線速度閾値よりも大きい。予め設定された持ち上げ状態を満たす１つの例示的な条件は、０．５秒以内に、水平面に対する移動端末の角度の変化が６０度を超える場合、移動端末の瞬間角速度が毎秒３ラジアン（３ｒａｄ ／ ｓ）より大きく、移動端末の瞬間的な線速度は毎秒０．１メートル（０．１ｍ ／ ｓ）より大きい。
【００６４】
特定のシナリオでは、移動端末が予め設定された持ち上げ状態にあるかどうかを検出することは、ユーザが移動端末を持ち上げたかどうかを検出することを意味する。具体的には、移動端末の一例として携帯電話を用いる。最初は、携帯電話はブラックスクリーンのスタンバイ状態にあるが、ジェスチャーセンサはまだバックグラウンドで動作している。予め設定された時間内（例えば、０．５秒以内）に、水平面に対する移動端末の角度の変化が予め設定された角度を超え、移動端末の瞬間的な角速度が予め設定された角速度閾値よりも大きく、そして、移動端末の瞬間的な線速度が予め設定された線速度閾値よりも大きい場合、移動端末が予め設定された持ち上げ状態にあると確定することができ、ユーザが携帯電話を拾い上げると見なすことができる。
【００６５】
ブロック１０２において、移動端末が予め設定された持ち上げ状態にあるとき、移動端末が正面カメラを起動し、第１のユーザ顔面画像を撮影する。
【００６６】
本開示の実施形態では、移動端末が予め設定持ち上げ状態にあることが検出された場合、ユーザが移動端末を持ち上げており、移動端末の画面のロックを解除しようとしていると見なしてもよい。ユーザが移動端末のロック画面インターフェースに迅速に入ることを可能にするために、画面は自動的に点灯され（言い換えれば、スクリーンオン）、ロック画面インターフェースに入られる。本開示の実施形態では、移動端末によって画面が点灯される前に、正面カメラが起動され、第１のユーザ顔面画像が撮影される。第１のユーザ顔面画像は、正面カメラによって連続的に撮影された複数の画像から選択されたユーザの顔を含む１つの鮮明な画像としてもよい。第１のユーザ顔面画像は、正面カメラによって連続的に撮影された複数の画像に従って合成された（例えば、マルチフレームノイズリダクションを通して合成された）ユーザの顔を含む１つの鮮明な画像でもよい。
【００６７】
ブロック１０３において、移動端末は、第１のユーザ顔面画像の第１の表情を分析し、表情とロック画面の壁紙タイプセットとの間の対応関係に基づいて、第１の表情に対応する第１目標ロック画面の壁紙タイプセットを確定する。
【００６８】
本開示のこの実施形態では、第１のユーザ顔面画像が正面カメラによって撮影された後、第１のユーザ顔面画像を移動端末によって分析して、第１のユーザ顔面画像のユーザ表情を取得し、第１のユーザ表情として、第１のユーザ顔面画像のユーザ表情を記録する。第１のユーザ顔面画像は、以下のように分析してもよい。第１のユーザ顔面画像における目、鼻、顔、および口などの顔の特徴を、移動端末が画像処理方法によって抽出することができる。抽出された顔の特徴は、ユーザ表情ライブラリ内のユーザ表情と比較される。ユーザ表情ライブラリ内で最も高いマッチング度を有するユーザ表情は、第１のユーザ顔面画像の第１の表情と見なされる。ユーザ表情ライブラリは、予め収集されたユーザの複数のユーザ表情を含む。ユーザ表情は、「興奮」、「楽しい」、「気落ち」、「怒り」などであってもよい。
【００６９】
表情とロック画面の壁紙タイプセットとの間の対応は、移動端末の非一時的メモリに予め格納してもよい。表情とロック画面の壁紙のタイプセットとの対応関係は、テーブルとして保存できる。それぞれの表情は一種のロック画面の壁紙のタイプセットに対応している。各ロック画面の壁紙タイプセットは、同じタイプの複数のロック画面の壁紙を含んでもよい。例えば、表情「怒り」は暖かいタイプの壁紙に対応し、表情「気落ち」は励みタイプの壁紙（例えば、インスピレーションポートレート）に対応し、表情「楽しい」は風景タイプの壁紙に対応する。
【００７０】
ブロック１０４において、移動端末は、移動端末の画面を点灯させ、ロック画面インターフェースに入り、そしてロック画面インターフェースに第１のロック画面の壁紙を表示する。第１のロック画面の壁紙は、第１の目標ロック画面の壁紙タイプセットから選択された壁紙の１つである。
【００７１】
本開示のこの実施形態では、第１の表情に対応する第１の目標ロック画面の壁紙タイプセットが確定された後、移動端末は画面を点灯させ、ロック画面インターフェースに入り、第１の目標ロック画面の壁紙タイプセットから壁紙をランダムに選択し、ロック画面インターフェイスに選択された壁紙を表示する。
【００７２】
本開示の実施形態で言及されるロック画面の壁紙は、静止画像またはＧＩＦ（グラフィック交換フォーマット）、例えば短いアニメーションまたはビデオであり得ることに留意されたい。静止画またはＧＩＦに加えて、ロック画面の壁紙は静止画またはＧＩＦに対するコメントを含くんでもよく、それを通してユーザはロック画面の壁紙およびロック画面の壁紙に関連する製品情報によって伝えられる意味をさらに理解することができる。例えば、ロック画面の壁紙が食品の写真（例えばザリガニの写真）である場合、食品の注文サイト、連絡先の電話番号、重量、価格、味などの食品に関する情報が推薦されてもよい。
【００７３】
本開示のこの実施形態では、移動端末を持ち上げるというユーザの動作が検出されると、ユーザの顔面画像が撮影され、ユーザの顔面画像の表情が分析され、その後、ユーザ顔面画像の表情に対応するセットが確定され、最終的に、移動端末の画面が点灯した後、ロック画面インターフェースに入り、ユーザ顔面画像の表情に対応するロック画面の壁紙タイプセット内の壁紙がロック画面インターフェースに表示される。本開示の実施形態によって、ユーザが移動端末を持ち上げるとき、ロック画面インターフェースにおいてユーザ表情に合わせる壁紙をユーザに推薦することができるので、ユーザエクスペリエンスを向上させる。
【００７４】
さらに、図１に示すように、ユーザが移動端末を持ち上げるとき、ユーザ表情に合わせる壁紙がロック画面インターフェースにおいてユーザに推薦された後、移動端末は、ユーザ表情に合わせるがユーザの嗜好に合わせない壁紙を他の壁紙にさらに切り替えることができる。これについて、図２を参照して詳細に説明する。
【００７５】
図２を参照する。図２は本開示の実施形態による、ロック画面の壁紙の別の推薦方法を示す概略フローチャート図である。図２に示すように、ロック画面の壁紙の推薦方法は、ブロック２０１の動作から始まる。
【００７６】
ブロック２０１において、移動端末は、ジェスチャセンサを通して、移動端末が予め設定された持ち上げ状態にあるかどうかを検出する。
【００７７】
ブロック２０２において、移動端末が正面カメラを起動し、移動端末が予め設定された持ち上げ状態にある場合に第１のユーザ顔面画像を撮影する。
【００７８】
ブロック２０３において、移動端末は、第１のユーザ顔面画像の第１の表情を分析し、表情とロック画面の壁紙タイプセットとの間の対応関係に基づいて、第１の表情に対応する第１の目標ロック画面の壁紙タイプセットを確定する。
【００７９】
ブロック２０４において、移動端末は、移動端末の画面を点灯させ、ロック画面インターフェースに入り、そしてロック画面インターフェースに第１のロック画面の壁紙を表示する。第１のロック画面の壁紙は、第１の目標ロック画面の壁紙タイプセットから選択された壁紙の１つである。
【００８０】
ブロック２０５で、移動端末は、正面カメラを通して第２のユーザ顔面画像を撮影する。
【００８１】
ブロック２０６において、移動端末は、第２のユーザ顔面画像の第２の表情を分析する。
【００８２】
ブロック２０７において、移動端末は、第２の表情が第１の表情と同じであるかどうかを判断する。
【００８３】
ブロック２０８において、第２の表情が第１の表情と異なり、第１の表情がポジティブな表情であるが第２の表情はネガティブな表情である場合、移動端末は、ロック画面インターフェースに表示された第１のロック画面の壁紙を第２のロック画面の壁紙に切り替える。第２のロック画面の壁紙は、第２の表情に対応する第２の目標ロック画面の壁紙タイプセットから選択された壁紙の１つである。
【００８４】
本開示のこの実施形態では、第１のロック画面の壁紙がロック画面インターフェースに表示された後、移動端末は、正面カメラを通して第２のユーザ顔面画像を撮影する。本開示のこの実施形態では、第１のユーザ顔面画像は、移動端末が予め設定された持ち上げ状態にあることが検出されたときに正面カメラによって撮影され、第２のユーザ顔面画像は、第１のロック画面の壁紙が移動端末によってロック画面インターフェースに表示された後に正面カメラによって撮影される。正面カメラは、ユーザ顔面画像を２回撮影し、２回撮影されたユーザ顔面画像の表情が変化したかどうかを比較する。第１のユーザ顔面画像と同様に、第２のユーザ顔面画像は、正面カメラによって連続的に撮影された複数の画像から選択されたユーザの顔面を含む１つの鮮明な画像としてもよい。第２のユーザ顔面画像は、正面カメラによって連続的に撮影された複数の画像に従って合成された（例えば、マルチフレームノイズ低減を通して合成された）ユーザの顔面を含む１つの鮮明な画像としてもよい。
【００８５】
第２のユーザ顔面画像が正面カメラを通して撮影された後、移動端末は、第２のユーザ顔面画像を分析して、第２のユーザ顔面画像のユーザ表情を取得し、第２の表情として第２のユーザ顔面画像の表情を記録する。移動端末が第２のユーザ顔面画像の第２の表情を分析する方法は、図１に示される動作１０３の説明を参照してもよい。その詳細な説明は繰り返さない。
【００８６】
ユーザがロック画面インターフェースに表示された第１のロック画面の壁紙を見る前とユーザがロック画面インターフェースに表示された第１のロック画面の壁紙を見た後との表情が変化したかどうかを比較するために、移動端末は第２の表情が第１の表情と同じかどうかを判断する。表情が変わった場合は、第１のロック画面の壁紙がユーザの気分を変えたことを示す。第２の表情が第１の表情と異なり、第１の表情がポジティブな表情であり、第２の表情がネガティブな表情である場合、それはユーザの気分が悪化していることを示す。移動端末は、ロック画面インターフェースに表示された第１のロック画面の壁紙を第２のロック画面の壁紙に切り替える。第２ロック画面の壁紙は、第２表情に対応する第２目標ロック画面の壁紙タイプセットから選択されるいずれかである。ここでのポジティブな表情は、「興奮」、「楽しい」などの良い気分または良い状態の表情であり、ここでのネガティブな表情は、「悪い」、「怒り」などの悪い気分の表情であってもよい。
【００８７】
一実施形態では、図２に示す方法は、ブロック２０９の動作をさらに含くんでもよい。
【００８８】
ブロック２０９において、第２の表情が第１の表情と異なり、第１の表情がネガティブな表情であるが、第２の表情がポジティブな表情である場合、移動端末は第１のロック画面の壁紙をお気に入りに追加する。
【００８９】
第１の表情がネガティブな表情であり、第２の表情がポジティブな表情である場合、それは、ユーザが第１のロック画面の壁紙を見た後に気分が良くなったことを示す。移動端末は、第１のロック画面の壁紙をお気に入りに追加する。お気に入りに集められたロック画面の壁紙は、全てユーザが好きなロック画面の壁紙であり、お気に入りから壁紙を選択してユーザに推薦してもよい。本開示の実施形態によれば、ユーザがロック画面インターフェースに表示された壁紙を好むかどうかは、ユーザ表情の変化を通じて知能的に認識できるので、ユーザの好きな壁紙をユーザに推薦し、ユーザエクスペリエンスを改善する。
【００９０】
一実施形態では、図２に示す方法は、ブロック２１０における動作をさらに含くんでもよい。
【００９１】
ブロック２１０において、第２の表情が第１の表情と同じであり、第１の表情と第２の表情の両方がネガティブな表情である場合、移動端末は、ロック画面インターフェースに表示された第１のロック画面の壁紙を第３のロック画面の壁紙に切り替える。 第３のロック画面の壁紙はお気に入りに集められた壁紙の任意の１つである。
【００９２】
第２の表情が第１の表情と同じであり、第１の表情と第２の表情の両方がネガティブな表情である場合、第１のロック画面の壁紙を見た後にユーザの気分が改善されていないことを示す。ここでは、ロック画面インターフェースに表示された第１のロック画面の壁紙が第３のロック画面の壁紙に切り替えられる。 第３のロック画面の壁紙はお気に入りに集められた壁紙の任意の１つである。お気に入りに集められたロック画面の壁紙は、ユーザが好きなものである。本開示の実施形態によれば、第１のロック画面の壁紙がユーザの気分を改善することができていないことを認識するとき、ユーザの気分を改善するように、お気に入りからランダムに壁紙を選択して第１のロック画面の壁紙を置き換えることで、ユーザエクスペリエンスを向上させる。
【００９３】
一実施形態では、第２の表情が第１の表情と同じであり、第１の表情と第２の表情の両方がポジティブな表情である場合、それは、ユーザが第１のロック画面の壁紙を見た後もまだ気分が良いことを示す。第１のロック画面の壁紙はロック画面のインターフェイスに表示し続けられ、ロック画面の壁紙の切り替えは実行されない。
【００９４】
一実施形態では、ブロック２１１の動作は、ブロック２０８の動作の後にさらに実行してもよい。
【００９５】
ブロック２１１で、移動端末は、第１の目標ロック画面の壁紙タイプセットから第１のロック画面の壁紙を削除する。
【００９６】
第１の表情がポジティブな表情であり、第２の表情がネガティブな表情である場合、それは、第１のロック画面の壁紙を見た後にユーザの気分が悪化し、ユーザが第１のロック画面の壁紙を気に入らないかもしれないことを示すから、ブロック２１１の動作を実行してもよい。ユーザが気に入らない第１のロック画面の壁紙は、第１の目標ロック画面の壁紙のタイプセットから削除される。その後、第１のロック画面の壁紙はロック画面のインターフェイスに表示されなくなる。本開示の実施形態によって、ユーザが好きではないロック画面の壁紙は、ユーザ表情の変化を通じて認識され、さらに削除されることができる。ユーザラベルを認識することによって、ユーザが好きではないロック画面の壁紙を知能的に認識することができ、ユーザのロック画面の壁紙の嗜好を得ることができ、ユーザエクスペリエンスを向上させることができる。
【００９７】
一実施形態では、ブロック２０８の動作は、以下の動作に置き換えられてもよい。
【００９８】
第２の表情が第１の表情と異なり、第１の表情がポジティブな表情であるが、第２の表情がネガティブな表情である場合、ロック画面インターフェースに表示される第１のロック画面の壁紙は第２のロック画面の壁紙に切り替えられる。第２ロック画面の壁紙は、第１目標ロック画面の壁紙タイプセットから選択された、第１ロック画面の壁紙以外の壁紙の１つである。
【００９９】
ユーザが、ロック画面インターフェースに表示された第１のロック画面の壁紙が気に入らないことを検出した場合、ロック画面インターフェースに表示された第１のロック画面の壁紙は、第１の目標ロック画面の壁紙タイプセットから選択された、第１のロック画面の壁紙以外の壁紙の１つに切り替えられる。本開示の実施形態では、ユーザが第１のロック画面の壁紙を好まないことを検出したとき、第１の目標ロック画面の壁紙タイプセット内の他の壁紙は依然としてユーザに推薦されることになる。
【０１００】
図２に示す実施形態におけるブロック２０１からブロック２０４の動作は、図１に示すブロック１０１からブロック１０４の動作を参照してもよく、これについては、本明細書では再度詳細に説明しない。
【０１０１】
図２に示された方法によって、移動端末がユーザによって持ち上げられると、ユーザの第１の表情が検出され、第１の表情に対応する第１のロック画面の壁紙がロック画面インターフェースにおいてユーザに推薦される。ユーザがロック画面インターフェースに表示された第１のロック画面の壁紙が気に入らないことを検出したとき、すなわち、ユーザ表情がポジティブな第１の表情からネガティブな第２の表情に変化したとき、ロック画面インターフェースに表示された第１のロック画面の壁紙は第２の表情に対応する第２のロック画面の壁紙に切り替えられることで、ユーザの現在の気分に合わせるロック画面の壁紙を推薦し、ユーザエクスペリエンスを向上させる。
【０１０２】
さらに、図１に示すように、ユーザが移動端末を持ち上げたときに、ユーザ表情に合わせる壁紙がロック画面インターフェースにおいてユーザに推薦された後、移動端末は、移動端末のお気に入りに当該壁紙をさらに収集することができる。これについては、図３を参照して詳細に説明する。
【０１０３】
図３を参照する。図３は本開示の実施形態による、ロック画面の壁紙の別の推薦方法を示す概略フローチャート図である。図３に示すように、ロック画面の壁紙の推薦方法は、ブロック３０１の動作で始まる。
【０１０４】
ブロック３０１において、移動端末は、ジェスチャセンサを通して、移動端末が予め設定された持ち上げ状態にあるかどうかを検出する。
【０１０５】
ブロック３０２において、移動端末が正面カメラを起動し、移動端末が予め設定された持ち上げ状態にあるときに第１のユーザ顔面画像を撮影する。
【０１０６】
ブロック３０３において、移動端末は、第１のユーザ顔面画像の第１の表情を分析し、表情とロック画面の壁紙タイプセットとの間の対応関係に基づいて、第１の表情に対応する第１の目標ロック画面の壁紙タイプセットを確定する。
【０１０７】
ブロック３０４において、移動端末は、移動端末の画面を点灯させ、ロック画面インターフェースに入り、そしてロック画面インターフェースに第１のロック画面の壁紙を表示する。第１のロック画面の壁紙は、第１の目標ロック画面の壁紙タイプセットから選択された壁紙の１つである。
【０１０８】
ブロック３０５において、移動端末は、第１のロック画面の壁紙のための読みインストラクションを検出すると、第１のロック画面の壁紙の読みインターフェースに入る。
【０１０９】
ブロック３０６において、移動端末は、第１のロック画面の壁紙の読み時間をカウントする。
【０１１０】
ブロック３０７において、移動端末は、読み時間が予め設定された期間に達すると、第１のロック画面の壁紙をお気に入りに追加する。
【０１１１】
本開示のこの実施形態では、第１のロック画面の壁紙の読みインストラクションは、ユーザによってトリガされることが可能である。例えば、「読む」ボタンを第１のロック画面の壁紙の表示インターフェースに表示して、「読む」ボタンをクリックして第１のロック画面の壁紙の読みインターフェースに入るようにユーザを案内することで、第１のロック画面の壁紙の詳細な解釈と紹介を読んでもよい。これは、ユーザが第１のロック画面の壁紙によって表される意味と雰囲気をさらに理解するのに役立つ。
【０１１２】
第１のロック画面の壁紙の読みインストラクションが検出された場合、それはユーザが第１のロック画面の壁紙に興味があることを示す。第１のロック画面の壁紙の読みインターフェースに入った後、ユーザの第１のロック画面の壁紙の読みインターフェースに滞在する期間がカウントされ、第１のロック画面の壁紙の読み時間として記録される。明らかに、第１のロック画面の壁紙の読み時間が長ければ長いほど、ユーザは第１のロック画面の壁紙を好きである。読み時間が予め設定された期間に達すると、移動端末は第１のロック画面の壁紙を追加する。お気に入りは、ユーザが好きなロック画面の壁紙を収集するように構成される。予め設定された期間は、予め設定され、移動端末の一時的でないメモリに格納されてもよい。例えば、予め設定された期間は５秒に設定してもよい。
【０１１３】
図３に示す実施形態におけるブロック３０１からブロック３０４の動作は、図２に示すブロック１０１からブロック１０４の動作を参照してもよい。これについては、本明細書では再度詳細に説明しない。
【０１１４】
図１に示される方法によって、ユーザが第１ロック画面の壁紙が好きかどうかは、第１ロック画面の壁紙の読みインターフェースに入ったかどうか、および第１ロック画面の壁紙を読むための読み時間によって判断できる。ロック画面の壁紙に対するユーザの好みを知能的に評価し、ユーザのお気に入りのロック画面の壁紙を収集し、それによってユーザエクスペリエンスを向上させる。
【０１１５】
本開示の実施形態の前述の技術案は、主に方法の実行の観点から説明されている。上記の機能を実施するために、移動端末は、それぞれの機能に対応するハードウェア構造および／またはソフトウェアモジュールを含むことが理解され得る。当業者は、本明細書に開示された実施形態に記載された例示的なユニットおよびスキームステップまたは動作と組み合わせて、ハードウェアまたはハードウェアとコンピュータソフトウェアとの組み合わせにおいて実施され得ることを容易に認識する。機能がハードウェアまたはハードウェアを駆動するコンピュータソフトウェアによって実施されるかどうかは、特定の用途および技術案の設計上の制約に依存する。当業者は、各特定の用途について説明された機能を実施するために異なる方法を使用してもよいが、そのような実施は、本開示の範囲を超えると見なされるべきではない。
【０１１６】
本開示の実施形態によれば、機能部は、前述の方法例に従って移動端末のために分割されてもよい。例えば、機能部は対応する機能に従って分割されてもよく、２つ以上の機能が１つの処理部に集積されてもよい。上述の集積された部は、ハードウェアまたはソフトウェア機能部の形で実施することができる。本開示の実施形態における部の分割は概略的であり、単なる論理的機能分割であることに留意されたい。実際の実施では他の分割方法があるかもしれない。
【０１１７】
図４を参照する。図４は本開示の実施形態による移動端末を示す概略構造図である。図４に示すように、移動端末４００は、検出部４０１と、撮影部４０２と、分析部４０３と、確定部４０４と、表示部４０５とを備えてもよい。
【０１１８】
検出部４０１は、ジェスチャセンサによって、移動端末が予め設定された持ち上げ状態にあるかどうかを検出するように構成される。
【０１１９】
撮影部４０２は、検出部４０１が移動端末が予め設定された持ち上げ状態にあることを検出した場合、正面カメラを起動し、第１のユーザ顔面画像を撮影するように構成される。
【０１２０】
分析部４０３は、第１のユーザ顔面画像の第１の表情を分析するように構成される。
【０１２１】
確定部４０４は、表情とロック画面の壁紙タイプセットとの間の対応関係に基づいて、第１の表情に対応する第１の目標ロック画面の壁紙タイプセットを確定するように構成される。
【０１２２】
表示部４０５は、移動端末の画面を点灯させ、ロック画面インターフェースに入り、そしてロック画面インターフェースに第１のロック画面の壁紙を表示するように構成される。第１のロック画面の壁紙は、第１の目標ロック画面の壁紙タイプセットから選択された壁紙の１つである。
【０１２３】
一実施形態では、移動端末４００は、判断部４０６および切替部４０７をさらに含んでもよい。
【０１２４】
撮影部４０２はさらに、第１のロック画面の壁紙が表示部４０５によってロック画面インターフェースに表示された後に、正面カメラによって第２のユーザ顔面画像を撮影するように構成される。
【０１２５】
分析部４０３はさらに、第２のユーザ顔面画像の第２の表情を分析するように構成される。
【０１２６】
判断部４０６は、第２の表情が第１の表情と同じであるかどうかを判断するように構成される。
【０１２７】
切替部４０７は、第２の表情が第１の表情と異なり、第１の表情がポジティブな表情であるが第２の表情はネガティブな表情である場合、ロック画面インターフェースに表示された第１のロック画面の壁紙を第２のロック画面の壁紙に切り替えるように構成される。
【０１２８】
一実施形態では、第２のロック画面の壁紙は、第２の表情に対応する第２の目標ロック画面の壁紙タイプセットから選択された壁紙の１つである。
【０１２９】
一実施形態では、第２のロック画面の壁紙は、第１の目標ロック画面の壁紙タイプセットから選択された、第１のロック画面の壁紙以外の壁紙の１つである。
【０１３０】
一実施形態では、移動端末４００は、削除部４０８をさらに含くんでもよい。
【０１３１】
削除部４０８は、ロック画面インターフェースに表示された第１のロック画面の壁紙が第２のロック画面の壁紙に切替部４０７によって切り替えられた後に、第１の目標ロック画面の壁紙タイプセットから第１のロック画面の壁紙を削除するように構成される。
【０１３２】
一実施形態では、移動端末４００は、第１の追加部４０９をさらに含んでもよい。
【０１３３】
第１の追加部４０９は、第２の表情が第１の表情と異なり、第１の表情がネガティブな表情であり、第２の表情がポジティブな表情である場合、第１のロック画面の壁紙をお気に入りに追加するように構成される。
【０１３４】
一実施形態では、切替部４０７はさらに、第２の表情が第１の表情と同じであり、かつ第１の表情と第２の表情の両方がネガティブな表情である場合、ロック画面インターフェースに表示された第１のロック画面の壁紙を第３のロック画面の壁紙に切り替えるように構成される。第３のロック画面の壁紙はお気に入りに集められた壁紙の任意の１つである。
【０１３５】
一実施形態では、表示部４０５はさらに、第２の表情が第１の表情と同じであり、かつ第１の表情と第２の表情の両方がポジティブな表情である場合、第１のロック画面の壁紙をロック画面インターフェースに表示し続けるように構成される。
【０１３６】
一実施形態では、移動端末４００は、カウント部４１０と第２の追加部４１１とをさらに含んでもよい。
【０１３７】
カウント部４１０は、第１のロック画面の壁紙のための読みインストラクションを検出したときに第１のロック画面の壁紙の読みインターフェースに入り、第１のロック画面の壁紙の読み時間をカウントするように構成される。
【０１３８】
第２の追加部４１１は、読み時間が予め設定された期間に達すると、第１のロック画面の壁紙をお気に入りに追加するように構成される。
【０１３９】
上述の部のそれぞれは、記憶および処理回路などの制御回路としてもよい。記憶および処理回路は、ハードディスクドライブ記憶装置、不揮発性メモリ（例えば、フラッシュメモリ、またはソリッドステートドライブを形成するように構成された他の電気的プログラム可能読み専用メモリ）、揮発性メモリ（例えば、静的または動的ランダムアクセスメモリ）などの記憶装置を含くんでもよい。記憶装置内の処理回路および処理回路は、移動端末の動作を制御するために使用されてもよい。処理回路は、１つまたは複数のマイクロプロセッサ、マイクロコントローラ、デジタル信号プロセッサ、ベースバンドプロセッサ、電力管理部、オーディオコーデックチップ、特定用途向け集積回路、ディスプレイドライバ集積回路などに基づいてもよい。
【０１４０】
記憶および処理回路は、インターネット閲覧アプリケーション、ボイスオーバーインターネットプロトコル（ＶＯＩＰ）電話通話アプリケーション、電子メールアプリケーション、メディア再生アプリケーション、オペレーティングシステム機能などのようなソフトウェアを移動端末において実行するために使用されてもよい。ソフトウェアを使用して、カメラを使用する画像取得動作、周囲光センサを使用する周囲光測定、近接センサを使用する近接センサ測定、発光ダイオードなどの状態インジケータを使用して実施される情報表示機能、タッチセンサを使用したタッチイベント測定、複数の（例えば階層化された）ディスプレイへの情報表示に関連する機能、無線通信機能の実行に関連する動作、音声信号の収集および生成に関連する動作、収集および処理ボタンプレスイベントデータに関連する制御動作、並びに移動端末における他の機能を実施することができる。上記の部は、一体にまたは別々に配置してもよい。
【０１４１】
図４に示す移動端末によって、ユーザが移動端末を持ち上げるときに、ユーザ表情に合わせる壁紙をロック画面インターフェースにおいてユーザに推薦することができるので、ユーザの利便性が向上される。
【０１４２】
図５を参照する。図５は本開示の実施形態による別の移動端末を示す概略構造図である。図５に示すように、移動端末５００は、１つ以上のプロセッサ５０１、メモリ５０２、通信部５０３、および１つ以上のプログラムを含む。１つまたは複数のプログラムはメモリ５０２に格納され、実行されると、１つまたは複数のプロセッサ５０１と共に動作可能になり、図５の上述の手順を実行するインストラクションを含む。プロセッサ５０１、メモリ５０２、および通信部５０３は、通信バス５０４を介して接続することができる。
【０１４３】
通信部５０３は、移動端末５００が通信ピアまたは基地局と接続するための通信チャネルを確立し、通信相手または基地局とデータを交換するように構成される。通信部５０３は、無線ローカルエリアネットワーク（無線ＬＮＡ）モジュール、ブルートゥースモジュール（Ｂｌｕｅｔｏｏｔｈ）、近距離無線通信（ＮＦＣ）モジュール、ベースバンドモジュール、および他の無線通信モジュール、ならびにイーサネット（Ｅｔｈｅｒｎｅｔ，登録商標）、ユニバーサルシリアルバス（ＵＳＢ）、ライトニングインターフェイスおよび他の有線通信モジュールを含んでもよい。通信部５０３は、移動端末５００の各構成要素と通信ピアまたは基地局との通信のために構成される。通信部５０３は、ダイレクトメモリアクセスをサポートしてもよい。
【０１４４】
プロセッサ５０１は、単に通信部５０３の中央処理装置（ＣＰＵ）、デジタル信号プロセッサ（ＤＳＰ）、グラフィック処理装置（ＧＰＵ）、または制御チップ（ベースバンドチップなど）を含んでもよいし、またはそれらの任意の組み合わせを含んでもよい。本開示の実施形態では、ＣＰＵは単一の演算コアであるか、または複数の演算コアを含んでもよい。
【０１４５】
図５に示す移動端末によって、ユーザが移動端末を持ち上げるときに、ユーザ表情に合わせる壁紙をロック画面インターフェースにおいてユーザに推薦することができることで、ユーザエクスペリエンスを向上させる。
【０１４６】
本開示の一実施形態はさらに別の移動端末を提供する。図６に示すように、説明を容易にするために、本開示の実施形態に関連する部分のみが示されている。記載されていない技術的詳細については、本開示の方法実施形態を参照してもよい。移動端末は、携帯電話、タブレットコンピュータ、携帯情報端末（ＰＤＡ）、販売時点情報管理端末（ＰＯＳ）、オンボードコンピュータなどの任意の端末装置としてもよい。以下では、移動端末の一例として携帯電話について説明する。
【０１４７】
図６は本開示の一実施形態による移動端末に係る携帯電話の構成の一部を示すブロック図である。図６に示すように、携帯電話は、ＲＦ（Radio Frequency）回路６１０、メモリ６２０、入力部６３０、表示部６４０、センサ６５０、オーディオ回路６６０、Ｗｉ−Ｆｉ（Wireless Fidelity）モジュール６７０、無線通信部６７０、プロセッサ６８０、電源６９０および他の構成要素を備える。当業者であれば、図６に示した携帯電話の構造は携帯電話の制限を構成しないあることを理解することができる。本開示の技術案を実施するように構成された携帯電話は、図示されているよりも多いまたは少ない構成要素を含んでもよく、または特定の構成要素または異なる構成要素を組み合わせてもよい。
【０１４８】
以下では、携帯電話の様々な構成要素について、図６を参照して詳細に説明する。
【０１４９】
ＲＦ回路６１０は、情報を送受信するように構成してもよい。一般に、ＲＦ回路６１０は、アンテナ、少なくとも１つの増幅器、トランシーバ、カプラ、低雑音増幅器（ＬＮＡ）、デュプレクサなどを備えるが、これらに限定されない。さらに、ＲＦ回路６１０は、無線通信およびネットワークを介して他の装置とさらに通信することができる。無線通信は、限定されないが、グローバル・システム・フォー・モバイル・コミュニケーション（ＧＳＭ）、ジェネラル・パケット・ラジオ・サービス（ＧＰＲＳ）、符号分割多重アクセス（ＣＤＭＡ）、広帯域符号分割多重アクセス（ＷＣＤＭＡ）、ロング・ターム・エボリューション（ＬＴＥ）、Eメール、ショート・メッセージング・サービス（ＳＭＳ）などを含む任意の通信規格またはプロトコルを使用してもよい。
【０１５０】
メモリ６２０は、ソフトウェアプログラムおよびモジュールを格納するように構成され、プロセッサ６８０は、メモリ６２０に格納されたソフトウェアプログラムおよびモジュールを実行することによって携帯電話の様々な機能アプリケーションおよびデータ処理を実行する。メモリ６２０は主にプログラム格納領域およびデータ格納領域を含む。格納プログラム領域は、オペレーションシステム、少なくとも１つの機能（パワーマネージャサービス（ＰＭＳ）、ウェイクアップ機能、フィンガープリントデータ取得機能、特徴点マッチング機能、及び画面点灯機能など）に必要なアプリケーションプログラムなどを格納してもよい。データ格納領域には、携帯電話の用途に応じて作成されたデータ（指紋識別センサによる指紋データ、予め格納されている予め設定されたクイックロック解除期間、スクリーンオフロック解除期間の統計情報等）が格納されてもよい。さらに、メモリ６２０は高速ＲＡＭを含んでもよく、少なくともディスク記憶装置、フラッシュ装置、または他の不揮発性固体記憶装置などのうちの１つの不揮発性メモリをさらに含んでもよい。
【０１５１】
入力部６３０は、入力デジタルまたは文字情報を受け取り、ユーザ設定および携帯電話の機能制御に関連するキー信号入力を生成するように構成されてもよい。一実施形態として、入力部６３０は、指紋識別センサ６３１、タッチスクリーン６３２、および他の入力装置６３３を含くんでもよい。指紋識別センサ６３１は、その上のユーザの指紋データを収集できる。一実施形態として、他の入力装置６３３は、タッチスクリーン、物理キー、機能キー（音量調節キー、スイッチキーなど）、トラックボール、マウス、ジョイスティックなどのうちの１つまたは複数を含んでもよいが、それらに限定されない。
【０１５２】
表示部６４０は、ユーザにより入力された情報、あるいはユーザに提供された情報、あるいは携帯電話の各種メニューを表示するように構成されていてもよい。表示部６４０は、表示画面６４１を含くんでよく、表示画面６４１は、液晶表示装置、有機発光ダイオードなどの形態で構成してもよい。図６では、指紋識別センサ６３１と表示画面６４１とが２つの別々の構成要素として示されているが、これに限定されない。いくつかの実施形態では、指紋識別センサ６３１を表示画面６４１と一体化して携帯電話の入出力機能を実施することができる。
【０１５３】
携帯電話は、光センサ６５１、ジェスチャセンサ６５２、および他のセンサなどの少なくとも１つのセンサ６５０をさらに含んでもよい。具体的には、光センサは、周囲光センサおよび近接センサを含んでもよい。周囲光センサは、周囲光の明るさに応じて表示画面６４１の輝度を調整することができ、携帯電話が耳に近づくと、近接センサは表示画面６４１および／またはバックライトをオフにすることができる。一種のモーションセンサとして、加速度センサは各方向（一般に３軸）の加速度の大きさを検出することができる。静止しているとき、加速度センサは重力の大きさと方向を検出することができる。加速度センサは、携帯電話ジェスチャの適用（例えば、水平および垂直画面切り替え、関連ゲーム、ならびに磁力計ジェスチャ較正）、および振動認識関連機能（例えば、歩数計およびノッキング）などを識別するように構成され得る。ジャイロスコープセンサ、気圧計センサ、湿度計センサ、温度計センサ、赤外線センサ、および携帯電話用に構成可能な他のセンサなどの他のセンサは、本明細書では詳述されない。
【０１５４】
オーディオ回路６６０、スピーカ６６１、およびマイクロフォン６６２は、ユーザと携帯電話との間のオーディオインターフェースを提供し得る。オーディオ回路６６０は、受信した音声データを電気信号に変換してスピーカ６６１に送信し、スピーカ６６１は電気信号を音声信号に変換して出力する。また、マイクロフォン６６２は集音した音声信号を電気信号に変換し、オーディオ回路６６０はこれを受信して音声データに変換する。音声データは処理のためにプロセッサ６８０に出力され、処理された音声データはＲＦ回路６１０を介して別の携帯電話に送信されるか、または音声データはさらなる処理のためにメモリ６２０に出力される。
【０１５５】
Ｗｉ−Ｆｉは、短距離無線伝送技術に属する。Ｗｉ−Ｆｉモジュール６７０を用いて、携帯電話は、電子メールの送受信、ウェブページの閲覧、ストリーミングメディアへのアクセスなどにおいてユーザをサポートできる。Ｗｉ−Ｆｉは、ワイヤレスブロードバンドインターネットアクセスをユーザに提供する。図６にはＷｉ−Ｆｉモジュール６７０が示されているが、これに限らない。図６に示すように、Ｗｉ−Ｆｉモジュール６７０は携帯電話に必須ではなく、本開示の本質的な性質から逸脱することなく実際の必要に応じて省略してもよい。
【０１５６】
プロセッサ６８０は、携帯電話の制御センターであり、メモリに格納されたソフトウェアプログラムおよび／またはモジュールを実行または実行するために、様々なインターフェースおよびラインを利用することによって携帯電話全体のすべての部分を接続するように構成される携帯電話全体を監視するために、携帯電話の様々な機能を実行し、メモリ６２０に格納されたデータを呼び出してデータを処理する。あるいは、プロセッサ６８０は、１つまたは複数の処理装置を含んでもよい。プロセッサ６８０はアプリケーションプロセッサおよび変復調プロセッサと集積されてもよく、アプリケーションプロセッサは主にオペレーションシステム、ユーザインターフェース、アプリケーションプログラムなどを処理し、変復調プロセッサは主に無線通信を処理する。変復調プロセッサはプロセッサ６８０に集積されなくてもよいことを理解されたい。
【０１５７】
携帯電話は、各構成要素に電力を供給するための電源６９０（電池など）をさらに含んでもよい。電源は、電源管理システムを介して充電、放電、および電力消費管理の機能を実施するように、電源管理システムを介してプロセッサ６８０と論理的に接続されてもよい。
【０１５８】
携帯電話は、カメラ、Ｂｌｕｅｔｏｏｔｈモジュールなどをさらに含むことができ、これらは図示されておらず、ここでは詳述されない。
【０１５９】
本開示の実施形態はまた、コンピュータ可読記憶媒体を提供する。コンピュータ可読記憶媒体は、電子データ交換のためのコンピュータプログラムを格納する。当該コンピュータプログラムは実行されると、コンピュータと共に動作可能で、上述の方法の実施形態で説明されたロック画面の壁紙の推薦方法のうちのいずれかの動作の全部または一部を達成する。
【０１６０】
本開示の実施形態はまた、コンピュータプログラム製品を提供する。コンピュータプログラム製品は、コンピュータプログラムを格納するための非一時的コンピュータ可読記憶媒体を含む。コンピュータプログラムはコンピュータと共に動作可能で、上記の方法の実施形態で説明したロック画面の壁紙を推薦するための方法のうちのいずれかの動作の全部または一部を実行する。
【０１６１】
簡単にするために、前述の方法の実施形態は一連の動作の組み合わせとして説明されているが、本開示が説明されているアクションの順序に限定されないことは当業者には理解されるであろう。本開示によれば、特定のステップまたは動作は、他の順序でまたは同時に実行され得る。その上、本明細書で説明された実施形態は例示的な実施形態であり、含まれる動作およびモジュールは必ずしも本開示に不可欠ではないことが当業者によって理解されるであろう。
【０１６２】
前述の実施形態では、各実施形態の説明はそれ自身の強調を有する。一実施形態において詳細に説明されていない部分については、他の実施形態における関連する説明を参照することができる。
【０１６３】
本開示の実施形態では、本明細書で提供される実施形態で開示された装置は他の方法で実施されてもよい。例えば、上述の装置／装置の実施形態は単なる例示である。例えば、部の分割は論理的な機能分割のみであり、実際の実施中には他の分割方法もあり得る。例えば、複数の部または構成要素を組み合わせたり、他のシステムに集積したり、あるいは一部の機能を無視、省略してもよく、または実行されなくてもよい。さらに、図示または論じられた各構成要素間のカプリングまたは通信接続は、直接カプリングまたは通信接続、あるいはいくつかのインターフェースを介した装置または部間の間接的カプリングまたは通信であってもよく、電気接続、機械的接続、または他の形態の接続であってもよい。
【０１６４】
別々の構成要素として説明された部は物理的に分離されてもされなくてもよく、部として示された構成要素は物理的な部でもそうでなくてもよい、すなわち同じ場所にあっても複数のネットワーク要素に分配されてもよい。実施形態の技術案の目的を達成するために、部の全部または一部を実際の必要性に従って選択することができる。
【０１６５】
さらに、本開示の様々な実施形態における機能部は、１つの処理部に集積されてもよく、または各部は物理的に存在してもよく、あるいは２つ以上の部が１つの部に集積されてもよい。上記の集積された部は、ハードウェアまたはソフトウェア機能部の形で実施することができる。
【０１６６】
集積された部は、それがソフトウェア機能部の形態で実施され、別個の製品として販売または使用されるときに、コンピュータ可読メモリに格納することができる。そのような理解に基づいて、本質的に本開示の技術案、または関連技術に寄与する技術案の一部、または技術案の全部または一部は、格納されるソフトウェア製品の形で具現化され得る。本開示の様々な実施形態において説明されるステップの全部または一部をコンピュータデバイス（パーソナルコンピュータ、サーバ、またはネットワークデバイスなどであってもよい）に実行させるためのインストラクションを含む。メモリは、ＵＳＢ（ユニバーサルシリアルバス）フラッシュディスク、リードオンリーメモリ（ＲＯＭ）、ランダムアクセスメモリ（ＲＡＭ）、リムーバブルハードディスク、ディスク、コンパクトディスク（ＣＤ）などのプログラムコードを格納することができる様々な媒体を含む。
【０１６７】
当業者であれば、上述した実施形態の様々な方法の全部または一部を、関連するハードウェアにインストラクションするためのプログラムによって達成することができ、そのプログラムをコンピュータに格納することができることを理解されよう。フラッシュメモリ、読み専用メモリ（ＲＯＭ）、ランダムアクセスメモリ（ＲＡＭ）、ディスクまたはコンパクトディスク（ＣＤ）などを含んでもよい。
【０１６８】
例示的な実施形態を参照しながら本開示を上記で詳細に説明してきたが、本開示の範囲はそれらに限定されない。当業者には想到されるように、本開示は、本開示の精神および原理から逸脱することなく、様々な修正および変更を行いやすい。したがって、本開示の範囲は特許請求の範囲によって確定されるべきである。
【図１】
0006790283.tif 000002
【図２】
0006790283.tif 000003
【図３】
0006790283.tif 000004
【図４】
0006790283.tif 000005
【図５】
0006790283.tif 000006
【図６】
0006790283.tif 000007